(57)【特許請求の範囲】
【請求項１】
媒体を受け付け、この媒体が記憶する媒体情報を読み取る媒体処理手段と、
前記媒体処理手段が媒体から読み取った媒体情報に含まれている、連続して処理する複数の取引を登録した取引パターンの中から、任意の取引パターンの選択を受け付ける取引パターン選択受付手段と、
前記取引パターン選択受付手段が選択を受け付けた取引パターンに登録されている複数の取引について、各取引を連続して処理する連続取引処理手段と、
前記媒体処理手段が媒体から読み取った媒体情報に含まれている取引パターンについて登録されている取引の変更入力、および、この媒体情報を読み取った媒体に追加記憶させる取引パターンの設定入力を選択的に受け付ける取引パターン変更／追加受付手段と、を備え、
前記取引パターン変更／追加受付手段は、その時点で選択されている取引パターンに登録されている取引であって、取引内容を受け付けている取引については、その取引を削除する削除入力も受け付け、
前記媒体処理手段は、前記取引パターン変更／追加受付手段が受け付けた変更入力、追加入力、および削除入力に基づいて、媒体が媒体情報として記憶する取引パターンを更新する、取引処理装置。
【請求項２】
前記取引パターン選択受付手段は、前記媒体処理手段が受け付けた媒体に対して、前記取引パターン変更／追加受付手段により媒体が媒体情報として記憶する取引パターンを更新した後、この媒体が記憶する取引パターンの中から、前記連続取引処理手段に処理させる取引を登録している取引パターンの選択を受け付ける、請求項１に記載の取引処理装置。
【請求項３】
前記媒体処理手段は、前記連続取引処理手段が選択された取引パターンに登録されている複数の取引を全て処理した後に、今回受け付けた媒体を媒体投入口に放出する、請求項２に記載の取引処理装置。
【請求項４】
入金貨幣を処理する貨幣処理手段を備え、
前記連続取引処理手段は、選択された取引パターンに登録されている複数の取引にかかる入金貨幣を前記貨幣処理手段に一括して処理させる、請求項１〜３のいずれかに記載の取引処理装置。
【請求項５】
前記取引パターン選択受付手段が選択を受け付けた取引パターンに登録されている取引毎に、前記連続取引処理手段による処理開始時に、その取引を実行するかどうかを確認する確認手段を備えた、請求項１〜４のいずれかに記載の取引処理装置。
【請求項６】
前記連続取引処理手段が選択された取引パターンに登録されている複数の取引を処理しているときに障害が発生した場合、障害発生時点における、この取引パターンの進行状況を出力する出力手段を備えた、請求項１〜５のいずれかに記載の取引処理装置。
【請求項７】
前記出力手段は、取引パターンに登録されている取引毎に、障害発生時点における完了、または未完了を出力する、請求項６に記載の取引処理装置。
【請求項８】
前記出力手段は、取引パターンに登録されている取引毎に、障害発生時点における完了、または未完了に加えて、入出金金額を出力する、請求項７に記載の取引処理装置。
【請求項９】
前記出力手段は、障害発生時点における取引パターンの進行状況を表示器に表示出力する、請求項６〜８のいずれかに記載の取引処理装置。
【請求項１０】
前記出力手段は、障害発生時点における取引パターンの進行状況を帳票に印字して出力する、請求項６〜９のいずれかに記載の取引処理装置。
【発明の詳細な説明】
【技術分野】
【０００１】
この発明は、利用者が行う入力操作に応じて、入金取引、出金取引、振込取引等の取引を処理する取引処理装置に関する。
【背景技術】
【０００２】
従来、金融機関に設置されている現金自動預け払い機（以下、ＡＴＭと言う。）では、入金取引、出金取引、振込取引等の種別の取引が行える。ＡＴＭは、各種の取引を、利用者の入力操作に応じて処理する。また、利用者が複数の取引を連続して行う場合の操作性の向上を図り、ＡＴＭの処理効率を向上させる提案がなされている。
【０００３】
例えば、特許文献１では、カードによる入金取引や振込取引が連続して行えるＡＴＭが提案されている。このＡＴＭは、「カードによる入金取引＋振込取引」を取引種別の選択項目として取引選択画面に表示する。利用者が、この「カードによる入金取引＋振込取引」を選択したときに、利用者のカードを受け付け、入金取引と振込取引を連続して処理し、これらの取引にかかる処理が終了した後に、カードを利用者に返却する。
【０００４】
また、振込先の金融機関コードや口座番号等を含む振込先情報を、振込取引を行うときに使用するカード（振込カード）に記憶させておき、振込取引を行うときに、振込カードから読み取った振込先情報を用いることで、利用者の振込先情報にかかる入力操作を簡単にしたＡＴＭも提案されている。さらに、特許文献２では、振込先情報に加えて振込金額も振込カードに記憶させておき、振込取引を行う利用者の入力操作を一層簡単にすることが提案されている。
【０００５】
【特許文献１】特開平１１−８６０９０号公報
【特許文献２】特開平１１−７３５３９号公報
【発明の開示】
【発明が解決しようとする課題】
【０００６】
しかしながら、特許文献１で提案されている構成では、利用者が連続して行う複数の取引の組合せが、取引種別の選択項目になっていなければ利用者の操作性や、ＡＴＭの処理効率を向上させることができない。すなわち、利用者が連続して行う複数の取引の組合せが取引種別の選択項目になっていなければ、利用者は、これらの取引を１つずつ処理することになる。
【０００７】
一方、ＡＴＭで行える取引の種別の増加や、利用者のニーズの多様化によって、利用者が連続して行う複数の取引の組み合わせが多種多様になってきている。したがって、特許文献１のＡＴＭでは、利用者が連続して行う複数の取引の組合せの中で、一部の組合せについてのみ、利用者の操作性や、ＡＴＭの処理効率の向上が図れるだけであった。言い換えれば、利用者が連続して行う複数の取引の組合せについて、その大部分が利用者の操作性や、ＡＴＭの処理効率の向上が図れていなかった。
【０００８】
なお、特許文献２は、利用者が振込取引を行うときの入力操作を簡単にすることが提案されているだけであり、利用者が連続して行う複数の取引について、これらの取引処理にかかる時間の短縮を図るものではない。
【０００９】
この発明の目的は、利用者のニーズに合わせて、その利用者が連続して行う複数の取引について、取引処理にかかる時間の短縮を図り、処理効率を向上させた取引処理装置を提供することにある。
【課題を解決するための手段】
【００１０】
この発明の取引処理装置は、上記課題を解決し、その目的を達するために、以下のように構成している。
【００１１】
この発明の取引処理装置は、媒体処理手段が媒体を受け付け、この媒体が記憶する媒体情報を読み取る。媒体は、例えば接触式や非接触式のＩＣカードや磁気カードであり、取引を行う利用者毎に発行されている。媒体情報には、連続して処理する複数の取引を登録した取引パターンが含まれている。媒体情報に含まれている取引パターンは、１つであってもよいし、複数であってもよい。取引パターン選択受付手段が、前記媒体処理手段が媒体から読み取った媒体情報に含まれている取引パターンの中から、任意の取引パターンの選択を受け付ける。そして、連続取引処理手段が、前記取引パターン選択受付手段が選択を受け付けた取引パターンに登録されている複数の取引について、各取引を連続して処理する。
【００１２】
したがって、取引を行う利用者のニーズに合った取引パターンを、この利用者に対して発行した媒体に記憶させておくことにより、その利用者が連続して行う複数の取引について、取引処理にかかる時間の短縮が図れ、処理効率を向上させることができる。
また、この発明の取引処理装置は、前記媒体処理手段が媒体から読み取った媒体情報に含まれている取引パターンについて登録されている取引の変更入力や、この媒体情報を読み取った媒体に追加記憶させる取引パターンの設定入力を受け付ける取引パターン変更／追加受付手段を設けている。この取引パターン変更／追加受付手段は、その時点で選択されている取引パターンに登録されている取引であって、取引内容を受け付けている取引については、その取引を削除する削除入力も受け付ける。そして、前記媒体処理手段は、前記取引パターン変更／追加受付手段が受け付けた変更入力、追加入力、および削除入力に基づいて、媒体が媒体情報として記憶する取引パターンを更新する。したがって、利用者は、媒体に記憶させておく取引パターンの追加、および変更が、自分のニーズに合わせて自由に行える。
また、取引パターン選択受付手段は、前記媒体処理手段が受け付けた媒体に対して、前記取引パターン変更／追加受付手段により媒体が媒体情報として記憶する取引パターンを更新した後、この媒体が記憶する取引パターンの中から、前記連続取引処理手段に処理させる取引を登録している取引パターンの選択を受け付ける構成とするのが好ましい。このように構成すれば、媒体に記憶させておく取引パターン（今回追加、および変更を行った取引パターンを含む。）の追加、および変更を行った後、連続して、この媒体が記憶する取引パターンの中から選択した取引パターンに登録されている各取引の処理が行える。
【００１３】
また、利用者が、複数の取引を行う場合、この利用者が行うカードの挿入、受取回数を減らすために、前記媒体処理手段については、前記連続取引処理手段が選択された取引パターンに登録されている複数の取引を全て処理した後に、今回受け付けた媒体を媒体投入口に放出する、構成とするのが好ましい。
【００１４】
また、前記連続取引処理手段については、選択された取引パターンに登録されている複数の取引にかかる入金貨幣、または出金貨幣を貨幣処理手段に一括して処理させる、構成とするのが好ましい。
【００１６】
また、前記取引パターン選択受付手段が選択を受け付けた取引パターンに登録されている取引毎に、前記連続取引処理手段による処理開始時に、その取引を実行するかどうかを確認する確認手段を設けてもよい。
【００１７】
さらに、出力手段が、前記連続取引処理手段が選択された取引パターンに登録されている複数の取引を処理しているときに障害が発生した場合、障害発生時点における、この取引パターンの進行状況を出力する構成としてもよい。この出力手段が出力する取引パターンの進行状況は、例えば、取引パターンに登録されている取引毎に、障害発生時点における完了、または未完了を出力するものであってもよいし、障害発生時点における完了、または未完了に加えて、入出金金額を出力するものであってもよい。また、進行状況の出力は、表示器における表示出力であってもよいし、帳票に印字した印字出力であってもよい。
【００１８】
このようにすれば、利用者や係員が障害発生時における取引の進行状況を知ることができ、復旧後に、どの取引から実行すればよいかなど、復旧後の対応や、入金貨幣や出金貨幣の取り扱いがスムーズに行える。
【発明の効果】
【００１９】
この発明によれば、利用者のニーズに合わせて、その利用者が連続して行う複数の取引について、取引処理にかかる時間の短縮を図り、処理効率を向上させることができる。
【発明を実施するための最良の形態】
【００２０】
以下、この発明にかかる取引処理装置の実施形態について説明する。
【００２１】
ここでは、金融機関の店舗に設置される現金自動預け払い機（以下、ＡＴＭと言う。）を例にして説明する。図１は、このＡＴＭの外観を示す概略図であり、図２は、ＡＴＭの主要部の構成を示すブロック図である。ＡＴＭ１は、利用者の入力操作に応じて、入金取引、出金取引、振込取引等の各種取引を処理する。ＡＴＭ１は、制御部２と、カード処理部３と、紙幣処理部４と、硬貨処理部５と、通帳処理部６と、明細票発行部７と、表示部８と、操作部９と、通信部１０と、を備えている。制御部２は、本体各部の動作を制御し、上述した各種取引を処理する。
【００２２】
カード処理部３は、本体前面に設けたカード投入口３ａに投入されたカード２０を取り込み、このカード２０が記憶するカード情報を読み取る。カード２０が記憶するカード情報には、カードを識別するカード番号、対応する口座を示す口座番号、連続して処理する複数の取引を登録した取引パターン等の情報が含まれている。この取引パターンにかかる情報の詳細については後述する。カード２０は、取引パターンにかかる情報を記憶する記憶容量があれば、磁気カードであってもよいし、接触式や非接触式のＩＣカードであってもよい。ここでは、カード２０が接触式のＩＣカードであるとして説明する。
【００２３】
紙幣処理部４は、取引にかかる入金紙幣や出金紙幣を処理する。紙幣処理部４は、本体前面に設けた紙幣入出金口４ａと、本体内部に設けられている紙幣カートリッジと、の間で紙幣を搬送する紙幣搬送路を有している。紙幣カートリッジは、金種別に設けられている。紙幣搬送路の途中には、入金紙幣を一時的に保留する入金紙幣一時保留部や、出金紙幣を一時的に保留する出金紙幣一時保留部が設けられている。また、紙幣の真偽や金種を鑑別する紙幣鑑別部が、紙幣搬送路の途中に設けられている。硬貨処理部５は、取引にかかる入金硬貨や出金硬貨を処理する。硬貨処理部５は、本体前面に設けた硬貨入出金口５ａと、本体内部に設けられている硬貨カートリッジと、の間で硬貨を搬送する硬貨搬送路を有している。硬貨カートリッジは、金種別に設けられている。硬貨搬送路の途中には、入金硬貨を一時的に保留する入金硬貨一時保留部や、出金硬貨を一時的に保留する出金硬貨一時保留部が設けられている。また、硬貨の真偽や金種を鑑別する硬貨鑑別部が、硬貨搬送路の途中に設けられている。
【００２４】
通帳処理部６は、本体前面に設けた通帳投入口６ａに投入された通帳を取り込み、この通帳に対する取引内容の印字等を行う。また、通帳処理部６は、取引内容を印字した通帳を通帳投入口６ａに放出する。明細票発行部７は、取引内容を印字した明細票を本体前面に設けた明細票発行口に放出する。表示部８は、利用者に対する操作案内画面等を、本体前面に設けた表示器８ａに表示する。操作部９は、表示器８ａの画面上に貼付したタッチパネル９ａや、テンキー等の入力デバイスを有し、利用者の入力操作を検知する。通信部１０は、公衆回線や専用回線を介して、センタに設置されているホスト装置（不図示）との通信を制御する。ホスト装置は、金融機関に開設されている口座毎に、その口座の管理に用いる管理情報（口座番号、預金残高、暗証番号、取引履歴等）を記憶している。
【００２５】
このＡＴＭ１は、カード処理部３で受け付けたカード２０が複数の取引の組合せを登録した取引パターンを記憶している場合、選択された取引パターンに登録されている複数の取引を連続して処理する機能を有している。ここでカード２０が記憶する取引パターンにかかる情報について説明する。図３は、カードが記憶する、取引パターンにかかる情報を示す図である。この取引パターンにかかる情報は、図３（Ａ）に示すパターンテーブル、および図３（Ｂ）に示す取引内容テーブルにより構成されている。取引パターンテーブルは、取引パターン毎に、パターン番号、パターン名、取引番号を対応付けたテーブルである。パターン番号は、その取引パターンを識別する番号であり、パターン名は、その取引パターンの名称であり、取引番号は、その取引パターンで処理する取引を示す番号である。例えば、図３（Ａ）におけるパターン番号１は、パターン名がＡＡＡであり、取引番号Ａ、取引番号Ｂ、および取引番号Ｃの３つの取引を連続して処理する取引パターンであり、パターン番号２は、パターン名がＢＢＢであり、取引番号Ｄ、取引番号Ｅ、取引番号Ｆ、および取引番号Ｇの４つの取引を連続して処理する取引パターンである。パターン名は、後述するように、利用者が任意に設定できる。取引内容テーブルは、取引パターンテーブルに登録されている取引番号の取引毎に、その内容を登録したテーブルである。取引内容テーブルは、取引毎に、取引番号、取引種別、および取引内容を対応付けたテーブルである。取引番号は、パターンテーブルに登録されている取引番号に対応している。取引種別は、入金取引、出金取引、振込取引等の取引種別である。取引内容は、入金金額、出金金額、振込金額、振込先金融機関コード、振込先口座番号等、その取引を処理するのに必要な情報である。取引内容には、その取引を処理するのに不要な情報（例えば、入金取引の場合の出金金額、振込金額、振込先金融機関コード、振込先口座番号等）は含まれていない。
【００２６】
なお、ここでは、カード２０は、取引パターンにかかる情報を、パターンテーブル、および取引内容テーブルの２つのテーブルで記憶するとしているが、パターンテーブル、および取引内容テーブルを１つに纏めたテーブルで記憶する構成であってもよいし、３つ以上のテーブルに分けて記憶する構成であってもよい。すなわち、カード２０が記憶する取引パターンにかかる情報は、取引パターン毎に、連続して処理する複数の取引および各取引の内容を対応付けたものであれば、どのような形式であってもよい。
【００２７】
次に、このＡＴＭ１の動作について説明する。図４は、ＡＴＭの動作を示すフローチャートである。ＡＴＭ１は、図５に示す初期画面を表示器８ａに表示し、利用者による取引種別の選択入力を待つ（ｓ１）。この初期画面では、お引き出し（出金取引）、お預かり（入金取引）、お振込（振込取引）、残高照会（残高照会取引）、連続取引等の取引種別を選択項目として表示している。ＡＴＭ１は、利用者の有無を検知する利用者検知センサを設け、この利用者検知センサにより利用者を検知したときに、この初期画面を表示器８ａに表示する構成であってもよい。この場合、利用者検知センサが利用者を検知していないときには、表示器８ａにおける画面表示を停止しておけばよい。この初期画面で表示している連続取引にかかる項目は、カード２０が記憶する取引パターンに基づいて、複数の取引を連続して処理するときや、カード２０が記憶する取引パターンの追加、変更、削除等を行うときに選択する項目である。操作部９が、タッチパネル９ａやテンキー等の入力デバイスにおける利用者の入力操作を検知する。
【００２８】
ＡＴＭ１は、利用者により選択された取引種別が連続取引以外の項目であれば、選択された項目に応じた種別の取引を処理する（ｓ２、ｓ３）。ｓ３では、例えば、出金取引が選択された場合に出金取引を処理し、入金取引が選択された場合に入金取引を処理する。ｓ３では、１つの取引を処理する。ｓ３にかかる取引処理は、公知のＡＴＭと同様であるので、ここでは説明を省略する。一方、ＡＴＭ１は、利用者が連続取引を選択した場合、連続取引処理を実行する（ｓ４）。
【００２９】
図６、および図７は、ｓ４にかかる連続取引処理を示すフローチャートである。ＡＴＭ１は、カード処理部３において、利用者がカード投入口３ａに投入したカード２０を受け付ける（ｓ１１）。ＡＴＭ１は、ｓ１１でカード２０の投入を待っているとき、利用者に対してカード２０の投入を促す画面を表示器８ａに表示している。カード処理部３は、利用者がカード投入口３ａに投入したカード２０を取り込み、このカード２０が記憶するカード情報を読み取る。ＡＴＭ１は、カード２０を受け付けると、利用者による暗証番号の入力を受け付ける（ｓ１２）。ＡＴＭ１は、ｓ１２で暗証番号の入力を待っているとき、利用者に対して暗証番号の入力を促す画面を表示器８ａに表示している。操作部９が、利用者による暗証番号の入力を検知する。ＡＴＭ１は、利用者により入力された暗証番号と、ｓ１１で受け付けたカード２０を識別することができるカード番号や、口座番号と、を含む暗証番号確認要求をホスト装置に送信する（ｓ１３）。ＡＴＭ１は、ホスト装置との通信を、通信部１０を介して行う。
【００３０】
ホスト装置は、カード番号や、口座番号と、暗証番号と、を対応付けた管理情報を記憶している。ホスト装置は、この管理情報を用いて、今回送信されてきた暗証番号確認要求に含まれている暗証番号が適正かどうかを判定し、その判定結果をＡＴＭ１に返信する。
【００３１】
ＡＴＭ１は、ｓ１３にかかる暗証番号確認要求に対する確認結果をホスト装置から受信すると、ｓ１２で受け付けた暗証番号が適正であったかどうかを判定する（ｓ１４）。ＡＴＭ１は、ｓ１２で受け付けた暗証番号が適正でなければ、今回受け付けたカード２０をカード投入口３ａに放出し（ｓ１５）、本処理を終了する。ｓ１２で受け付けた暗証番号が適正でないと判定した場合、暗証番号の再入力を促し、再入力された暗証番号を含む暗証番号確認要求をホスト装置に送信するようにしてもよい。この場合には、暗証番号が適正でないとする判定が所定回数（例えば、３回）連続したときに、ｓ１５で今回受け付けたカード２０をカード投入口３ａに放出すればよい。
【００３２】
ＡＴＭ１は、ｓ１２で受け付けた暗証番号が適正であれば、ｓ１１でカード２０から読み取ったカード情報に基づく取引パターン選択画面（図８参照）を表示器８ａに表示する（ｓ１６）。この取引パターン選択画面では、ｓ１１で受け付けたカード２０が記憶するパターンテーブルに登録されている取引パターン毎に、そのパターン名を示す選択ボタンと、カード２０が記憶するパターンテーブルに取引パターンを追加する追加ボタンと、を表示する。ＡＴＭ１は、利用者が追加ボタンを選択する入力操作を行うと（ｓ１７）、取引パターン追加処理を行う（ｓ１８）。この取引パターン追加処理の詳細については、後述する。ＡＴＭ１は、ｓ１８にかかる取引パターン追加処理を完了すると、ｓ１６に戻る。このとき、ＡＴＭ１は、今回追加された取引パターンについても、そのパターン名を示す選択ボタンを取引パターン選択画面に表示する。
【００３３】
ＡＴＭ１は、利用者がいずれかの取引パターンを選択する入力操作を行うと（ｓ１９）、選択された取引パターンについての取引パターン確認画面（図９参照）を表示器８ａに表示する（ｓ２０）。この取引パターン確認画面では、ｓ１９で選択された取引パターンで実行する各取引の内容とともに、実行ボタン、変更ボタン、および取消ボタンを表示する。ＡＴＭ１は、利用者が取消ボタンを選択する入力操作を行うと（ｓ２１）、ｓ１６に戻り、再度取引パターンの選択入力を受け付ける。また、ＡＴＭ１は、利用者が変更ボタンを選択する入力操作を行うと（ｓ２２）、ｓ１９で選択された取引パターンについて、その内容を変更する取引パターン変更処理を行う（ｓ２３）。この取引パターン変更処理の詳細については、後述する。ＡＴＭ１は、ｓ２３にかかる取引パターン変更処理が完了すると、ｓ２０に戻る。このとき、ＡＴＭ１は、ｓ１９で選択された取引パターンを、今回変更された内容で表示する。
【００３４】
ＡＴＭ１は、利用者が実行ボタンを選択する入力操作を行うと（ｓ２４）、取引内容を表示器８ａに表示している取引の処理を開始する。この時点で、取引内容が表示されている取引は、ｓ１９で選択された取引パターンに登録されている取引である。ＡＴＭ１は、選択されている取引パターンに登録されている全ての取引を処理するのに、入金（紙幣や硬貨（貨幣）の投入）が必要であるかどうかを判定する（ｓ２５）。例えば、ＡＴＭ１は、選択されている取引パターンに登録されている入金取引や現金による振込取引にかかる合計金額が、出金取引にかかる金額よりも大きければ、入金が必要であると判定し、出金取引にかかる金額以下であれば、入金が必要でないと判定する。また、入金取引や、現金による振込取引があれば、入金が必要であると判定してもよい。
【００３５】
ＡＴＭ１は、ｓ２５で入金が必要であると判定すると、以下に示すｓ２６〜ｓ３０にかかる処理を行い、利用者により投入された貨幣を受け付ける。まず、ＡＴＭ１は、入金受付画面（図１０参照）を表示器８ａに表示する（ｓ２６）。この入金受付画面では、選択されている取引パターンで実行する取引毎の入金金額、および合計金額を表示する。このときＡＴＭ１は、紙幣入出金口４ａや、硬貨入出金口５ａに設けているシャッタを開し、利用者による紙幣や硬貨の投入を受け付ける（ｓ２７）。ＡＴＭ１は、入金受付画面に表示している完了ボタンを選択する入力操作が行われると、利用者による貨幣の投入が完了したと判定し、紙幣入出金口４ａや、硬貨入出金口５ａに設けているシャッタを閉する。また、ＡＴＭ１は、利用者により投入された紙幣や硬貨について、紙幣鑑別部や硬貨鑑別部で真偽や金種を鑑別し、今回投入された紙幣や硬貨の合計金額を算出する。また、利用者が今回投入した紙幣は、入金紙幣一時保留部に保留し、利用者が今回投入した硬貨は、入金硬貨一時保留部に保留する。ＡＴＭ１は、利用者が投入した紙幣や硬貨の合計金額（入金金額）を含む入金金額確認画面（図１１参照）を表示器８ａに表示する（ｓ２８）。
【００３６】
この入金金額確認画面は、この時点で利用者が投入した貨幣の合計金額（入金金額）や、追加入金ボタン、および確認ボタンを表示器８ａに表示する。ＡＴＭ１は、利用者が追加入金ボタンを選択する入力操作を行うと（ｓ２９）、ｓ２７に戻って、利用者による紙幣や硬貨の投入を受け付ける。また、ＡＴＭ１は、利用者が確認ボタンを選択する入力操作を行うと（ｓ３０）、取引実行画面（図１２参照）を表示器８ａに表示する（ｓ３１）。
【００３７】
なお、ＡＴＭ１は、ｓ２５で入金が必要でないと判定すると、上述したｓ２６〜ｓ３０にかかる処理を行うことなく、ｓ３１で取引実行画面を表示器８ａに表示する。また、ＡＴＭ１は、後述するように、今回処理する取引パターンに登録されている取引について、取引を処理しないスキップや、取引内容の変更が行えることから、利用者が投入した貨幣の合計金額（入金金額）が、選択されている取引パターンで実行する各取引の入金金額の合計金額よりも少なくても、確認ボタンを選択する入力操作が行われると、ｓ３１で取引実行画面を表示器８ａに表示する。
【００３８】
この取引実行画面では、選択されている取引パターンに登録されている取引の中で、この時点で処理していない未処理の取引について、その取引内容を表示するとともに、変更ボタン、スキップボタン、および実行ボタンを表示する。このＡＴＭ１は、選択されている取引パターンに登録されている取引を、パターンテーブルに登録されている順番に処理する。ＡＴＭ１は、利用者が変更ボタンを選択する入力操作を行うと（ｓ３２）、取引内容を変更する取引内容変更処理を実行する（ｓ３３）。ｓ３３では、表示器８ａに表示している取引内容の変更、例えば入金金額の変更、を受け付ける処理である。この取引内容変更処理の詳細については、後述する。ＡＴＭ１は、ｓ３３にかかる取引内容変更処理を完了すると、ｓ３１に戻る。このとき、ＡＴＭ１は、今回受け付けた変更内容を反映した取引内容で取引実行画面を表示する。
【００３９】
なお、ＡＴＭ１は、選択されている取引パターンに登録されている複数の取引を、登録されている順番ではなく、適当に選んで処理する構成であってもよい。例えば、貨幣の入金をともなう取引、貨幣の出金をともなう取引、貨幣の入出金をともなわない取引、の順に処理する構成であってもよい。
【００４０】
また、ＡＴＭ１は、利用者が実行ボタンを選択する入力操作を行うと（ｓ３４）、この時点で表示器８ａに表示している内容の取引を処理する（ｓ３５）。ｓ３５では、入金取引、出金取引、振込取引等を処理する。このとき、ＡＴＭ１は、センタ装置に対して取引可否の認証要求等を行う。出金取引の場合には、出金金額の貨幣を紙幣カートリッジや硬貨カートリッジから繰り出し、出金紙幣一時保留部や出金硬貨一時保留部に保留する。一方、入金取引や振込取引の場合には、この時点で、入金紙幣一時保留部や入金硬貨一時保留部に保留している紙幣や硬貨を、紙幣カートリッジや硬貨カートリッジに収納しない。また、入金金額の不足により、入金取引や振込取引が処理できないときには、その旨を表示するとともに、利用者に対して追加入金を促す。
【００４１】
ＡＴＭ１は、ｓ３５での取引処理が完了すると、この取引を処理済とし、今回選択されている取引パターンの中に、未処理の取引が残っているかどうかを判定する（ｓ３６）。ＡＴＭ１は、未処理の取引が残っていれば、ｓ３１に戻る。また、ＡＴＭ１は、取引実行画面で表示しているスキップボタンを選択する入力操作が行われると（ｓ３７）、この時点で取引内容を表示器８ａに表示している取引を処理することなく、ｓ３６で、この取引を処理済とし、未処理の取引が残っているかどうかを判定する。
【００４２】
ＡＴＭ１は、ｓ３６で未処理の取引が残っていないと判定すると、入金紙幣一時保留部、および入金硬貨一時保留部に入金紙幣や入金硬貨が保留されているかどうかを判定し（ｓ３８）、入金紙幣一時保留部または入金硬貨一時保留部に入金紙幣や入金硬貨が保留されていれば、これらの紙幣や硬貨を紙幣カートリッジや硬貨カートリッジに収納する（ｓ３９）。また、ＡＴＭ１は、利用者に対して返却するお釣りの有無を判定し（ｓ４０）、お釣りがあれば、そのお釣りに応じた紙幣や硬貨を紙幣カートリッジや硬貨カートリッジから繰り出し、紙幣入出金口４ａや硬貨入出金口５ａに放出する（ｓ４１）。また、ＡＴＭ１は、ｓ１１で受け付けたカード２０をカード投入口３ａに放出し（ｓ４２）、このカード２０を利用者に返却する。さらに、ＡＴＭ１は、出金紙幣一時保留部、および出金硬貨一時保留部に出金紙幣や出金硬貨が保留されているかどうかを判定し（ｓ４３）、出金紙幣一時保留部または出金硬貨一時保留部に出金紙幣や出金硬貨が保留されていれば、これらの紙幣や硬貨を紙幣入出金口４ａや硬貨入出金口５ａに放出する（ｓ４４）。
【００４３】
このように、このＡＴＭ１では、カード２０が記憶している取引パターンに登録されている複数の取引を、連続して処理することができる。また、カード２０は、利用者毎に発行されているので、利用者が自分のニーズに合わせて、複数の取引を登録した取引パターンをカード２０に記憶させることができる。したがって、利用者のニーズに合わせて、その利用者が連続して行う複数の取引について、取引処理にかかる時間の短縮を図り、処理効率を向上させることができる。
【００４４】
また、上述したように、取引パターンに登録されている取引について、入金にかかる紙幣や硬貨については、全ての取引について処理が完了したときに、一括して紙幣カートリッジや、硬貨カートリッジに収納する構成としているので、紙幣ジャムや硬貨つまり等による障害の発生頻度が抑えられる。
【００４５】
また、ＡＴＭ１は、取引パターンに登録されている取引毎に、その取引の処理を開始するときに、取引実行画面を表示器８ａに表示するので、これから処理する取引の内容を利用者に確認させることができる。また、このとき、取引内容の変更やスキップを受け付ける構成としたので、利用者が自分の都合に合わせて、取引内容の変更やスキップが行える。
【００４６】
次に、ｓ１８にかかる取引パターン追加処理について説明する。図１３は、この取引パターン追加処理を示すフローチャートである。上述したように、ＡＴＭ１は、図８に示す取引パターン選択画面を表示器８ａに表示しているときに、利用者が追加ボタンを選択する入力操作を行うと、この取引パターン追加処理を実行する。ＡＴＭ１は、取引パターン追加画面（図１４参照）を表示器８ａに表示する（ｓ５１）。この取引パターン追加画面では、パターン番号、パターン名入力ボタン、取引内容入力ボタン、取消ボタンが表示される。パターン番号は、ＡＴＭ１によって自動的に付けられる。例えば、ＡＴＭ１は、ｓ１１で受け付けたカード２０が記憶するパターンテーブルに登録されている取引パターン数に応じて、パターン番号を付ける。ＡＴＭ１は、利用者がパターン名入力ボタンを選択する入力操作を行うと（ｓ５２）、文字入力画面を表示器８ａに表示し（ｓ５３）、利用者によるパターン名の入力を受け付け（ｓ５４）、ｓ５１に戻る。また、ＡＴＭ１は、利用者が取引内容入力ボタンを選択する入力操作を行うと（ｓ５５）、取引種別選択画面（図１５参照）を表示する（ｓ５６）。この取引選択画面には、取引の種別を選択する取引選択ボタンと、取消ボタンが表示されている。ＡＴＭ１は、利用者が取消ボタンを選択する入力操作を行うと（ｓ５７）、ｓ５１に戻る。また、ＡＴＭ１は、利用者がいずれかの取引選択ボタンを選択する入力操作を行うと（ｓ５８）、選択された取引種別の取引について、その取引内容を入力する取引内容入力画面を表示器８ａに表示し（ｓ５９）、利用者による取引内容の入力を受け付け（ｓ６０）、ｓ５１に戻る。例えば、選択された取引種別が入金取引であれば、入金金額の入力を受け付ける画面を表示器８ａに表示し、選択された取引種別が出金取引であれば、出金金額の入力を受け付ける画面を表示器８ａに表示する。また、振込取引であれば、振込先の金融機関、振込先口座番号、振込先口座の名義、振込金額等の入力を受け付ける。
【００４７】
ＡＴＭ１は、ｓ５１に戻ったとき、利用者による入力を受け付けた、パターン名や、取引内容等を反映した取引パターン追加画面を表示器８ａに表示する。例えば、図１６（Ａ）は、パターン名のみ入力を受け付けたときの取引パターン追加画面を示し、図１６（Ｂ）は、パターン名、および１つの取引について取引内容の入力を受け付けたときの取引パターン追加画面を示している。図１６に示すように、入力を受け付けたパターン名については変更ボタンを表示し、取引内容を受け付けた取引項目については、削除ボタン、および変更ボタンを表示する。また、ＡＴＭ１は、取引内容を受け付けた取引項目があると、登録ボタンを表示する。
【００４８】
ＡＴＭ１は、利用者が変更ボタンを選択する入力操作を行うと（ｓ６１）、その変更ボタンに対応する項目についての変更入力画面を表示し（ｓ６２）、変更入力を受け付け（ｓ６３）、ｓ５１に戻る。また、ＡＴＭ１は、利用者が削除ボタンを選択する入力操作を行うと（ｓ６４）、削除確認画面（図１７参照）を表示器８ａに表示する（ｓ６５）。この削除確認画面には、対応する取引の内容と、削除ボタン、および取消ボタンが表示される。ＡＴＭ１は、利用者が削除ボタンを選択する入力操作を行うと（ｓ６６）、内容を表示している取引を、取引パターンから削除し（ｓ６７）、ｓ５１に戻る。また、利用者が取消ボタンを選択する入力操作を行うと（ｓ６８）、内容を表示している取引を、取引パターンから削除することなく、ｓ５１に戻る。
【００４９】
ＡＴＭ１は、利用者が取消ボタンを操作する入力操作を行うと（ｓ６９）、この処理を終了し、ｓ１６に戻る。また、利用者が登録ボタンを操作する入力操作を行うと（ｓ７０）、今回パターン名や取引内容が入力された取引パターンを、カード２０が記憶するパターンテーブルや取引内容テーブルに書き込み（ｓ７１）、この処理を終了し、ｓ１６に戻る。
【００５０】
このように、利用者は、ＡＴＭ１において、カード２０に記憶させる取引パターンを追加することができる。
【００５１】
次に、ｓ２３にかかる取引パターン変更処理について説明する。この取引パターン変更処理は、上述した取引パターン追加処理と略同じであり、最初に、選択された取引パターンについて、登録されているパターン名や、取引内容を表示するパターン編集画面を表示器８ａに表示する。このパターン編集画面は、上述した取引パターン変更処理において、パターン名、および少なくとも１つ以上の取引について、その取引内容を受け付けた取引項目があるときの、パターン追加画面と同じである。すなわち、この取引パターン変更処理は、上述した取引パターン追加処理において、パターン名、および少なくとも１つ以上の取引について、その取引内容を受け付けた後に、行われる処理と略同じである。異なる点は、登録ボタンを選択する入力操作が行われたときに、カード２０が記憶する該当する取引パターン、および取引内容を書き換える点である。
【００５２】
次に、ｓ３１にかかる取引変更処理について説明する。図１８は、この取引変更処理を示すフローチャートである。ＡＴＭ１は、取引内容を変更する取引内容変更画面を表示し（ｓ８１）、利用者による取引内容の変更を受け付ける（ｓ８２）。ＡＴＭ１は、ここで受け付けた変更内容を反映した取引実行画面を表示する（ｓ８３）。
【００５３】
したがって、利用者は、取引パターンに登録されている取引の処理開始時に、その取引の取引内容を変更することもできる。
【００５４】
さらに、このＡＴＭ１は、上述した図６、図７に示した連続取引処理を実行しているときに、何らかの障害が発生すると、各取引について、この時点における処理状態（処理完了、処理中、未処理）を示す情報を出力する。この情報の出力は、表示器８ａに表示させる方法であってもよいし、明細票等に印字して出力する方法であってもよい。例えば、図１９に示す画面を表示器８ａに表示してもよいし、この図１９に示す内容を明細票等に印字して出力してもよい。これにより、入金紙幣一時保留部、入金硬貨一時保留部、出金紙幣一時保留部、および出金硬貨一時保留部に保持されている紙幣や硬貨の中で、利用者に返金する分と、金融機関側で受け取る分と、が簡単に確認できる。したがって、発生した障害の復旧にかかる作業が簡単に行える。
【００５５】
なお、上記の連続取引処理の実行中に、利用者がこの連続取引処理を中止する旨の入力操作を行ったときには、そのときの状況に応じた中止処理を行い、この連続取引処理を終了する。例えば、利用者は、取引パターンの追加や変更にかかる処理後に、この連続取引処理を中止する旨の入力操作を行うことで、なんら取引を処理することなく、カード２０が記憶する取引パターンの追加や変更が行える。
【００５６】
また、この発明は、ＡＴＭだけでなく、複数の種別の取引が行える取引処理装置であれば適用できる。
【図面の簡単な説明】
【００５７】
【図１】ＡＴＭの外観を示す概略図である。
【図２】ＡＴＭの主要部の構成を示すブロック図である。
【図３】カードが記憶するパターンテーブル、および取引内容テーブルを示す図である。
【図４】ＡＴＭの動作を示すフローチャートである。
【図５】表示部における表示画面例を示す図である。
【図６】ＡＴＭにおける連続取引処理を示すフローチャートである。
【図７】ＡＴＭにおける連続取引処理を示すフローチャートである。
【図８】表示部における表示画面例を示す図である。
【図９】表示部における表示画面例を示す図である。
【図１０】表示部における表示画面例を示す図である。
【図１１】表示部における表示画面例を示す図である。
【図１２】表示部における表示画面例を示す図である。
【図１３】ＡＴＭにおける取引パターン追加処理を示すフローチャートである。
【図１４】表示部における表示画面例を示す図である。
【図１５】表示部における表示画面例を示す図である。
【図１６】表示部における表示画面例を示す図である。
【図１７】表示部における表示画面例を示す図である。
【図１８】ＡＴＭにおける取引変更処理を示すフローチャートである。
【図１９】表示部における表示画面例を示す図である。
【符号の説明】
【００５８】
１−現金自動預け払い機（ＡＴＭ）
２−制御部
３−カード処理部
４−紙幣処理部
５−硬貨処理部
６−通帳処理部
７−明細票発行部
８−表示部
９−操作部
１０−通信部
２０−カード
【図１】
0005219470.tif 000002
【図２】
0005219470.tif 000003
【図３】
0005219470.tif 000004
【図４】
0005219470.tif 000005
【図５】
0005219470.tif 000006
【図６】
0005219470.tif 000007
【図７】
0005219470.tif 000008
【図８】
0005219470.tif 000009
【図９】
0005219470.tif 000010
【図１０】
0005219470.tif 000011
【図１１】
0005219470.tif 000012
【図１２】
0005219470.tif 000013
【図１３】
0005219470.tif 000014
【図１４】
0005219470.tif 000015
【図１５】
0005219470.tif 000016
【図１６】
0005219470.tif 000017
【図１７】
0005219470.tif 000018
【図１８】
0005219470.tif 000019
【図１９】
0005219470.tif 000020